【手続補正書】
【提出日】令和3年7月20日(2021.7.20)
【手続補正１】
【補正対象書類名】特許請求の範囲
【補正対象項目名】全文
【補正方法】変更
【補正の内容】
【特許請求の範囲】
【請求項１】
洗浄水源から供給される洗浄水によって洗浄されて汚物を排出する水洗大便器であって、
ボウル形状の汚物受け面と、この汚物受け面の上縁に形成される棚部と、この棚部の外縁から立ち上がるリム内壁面を形成するリム部と、を備えたボウル部と、
上記ボウル部内に洗浄水を吐水するリム吐水部と、を有し、
上記ボウル部は、このボウル部を左右方向に二等分するように水平前後方向に延びる中心軸線に対して左側及び右側にそれぞれ形成される左側領域及び右側領域をそれぞれ備えており、
上記リム吐水部は、上記ボウル部の上記リム部に設けられて洗浄水を吐水するリム吐水口を上記リム部の全周において１つ形成し、上記リム吐水口は、上記左側領域又は上記右側領域のいずれかの上記リム部に設けられて洗浄水を吐水するものであり、
上記リム内壁面における上記リム吐水口よりも上側の領域は、平坦状に形成されており、ボウル部の周方向に連続するように形成されていることを特徴とする水洗大便器。
【請求項２】
上記リム内壁面における上記リム吐水口の開口端面よりも上側の領域は、上記リム吐水口の開口端面における上下方向の大きさよりも広い範囲で形成され、下流側に向かうにつれて徐々に狭くなる請求項１記載の水洗大便器。
【請求項３】
上記リム吐水部は、上記リム吐水口の下流側に通水路を形成し、この通水路の流路断面は、上記棚部の棚面、この棚面の外縁から立ち上がる上記リム内壁面、及び、このリム内壁面の上方部分に形成されるオーバーハング部分のそれぞれにより形成され、上記通水路の流路断面の上下方向の大きさは、上記通水路の下流側に向かうにつれて大きくなる請求項１又は２に記載の水洗大便器。
【請求項４】
上記リム吐水部は、上記リム吐水口の下流側に通水路を形成し、この通水路の流路断面は、上記棚部の棚面、この棚面の外縁から立ち上がる上記リム内壁面、及び、このリム内壁面の上方部分に形成されるオーバーハング部分のそれぞれにより形成され、
上記オーバーハング部分は、その下端から斜め上方に且つ上記ボウル部の内側に向かって傾斜した傾斜面を形成している請求項１乃至３の何れか１項に記載の水洗大便器。
【請求項５】
洗浄水源から供給される洗浄水によって洗浄されて汚物を排出する水洗大便器であって、
ボウル形状の汚物受け面と、この汚物受け面の上縁に形成される棚部と、この棚部の外縁から立ち上がるリム内壁面を形成するリム部と、を備えたボウル部と、
上記ボウル部内に洗浄水を吐水するリム吐水部と、を有し、
上記ボウル部は、このボウル部を左右方向に二等分するように水平前後方向に延びる中心軸線に対して左側及び右側にそれぞれ形成される左側領域及び右側領域をそれぞれ備えており、
上記リム吐水部は、上記ボウル部の上記リム部に設けられて洗浄水を吐水するリム吐水口を上記リム部の全周において１つ形成し、上記リム吐水口は、上記左側領域又は上記右側領域のいずれかの上記リム部に設けられて洗浄水を吐水するものであり、
上記リム吐水部は、上記リム吐水口から下流側に延びるように形成される通水路を備え、この通水路は、上記棚部と、この棚部の外縁から立ち上がる第１リム内壁面と、この第１リム内壁面の上方部分に形成されるオーバーハング部分の下面と、により形成されており、
上記リム内壁面は、上記第１リム内壁面と、上記オーバーハング部分の下面の内側端よりも上側領域に形成される第２リム内壁面と、を備えており、
上記リム吐水口から下流側に向かって所定距離に位置する上記通水路に対して上側に形成される上記第２リム内壁面の上下方向の大きさは、上記リム吐水口の上下方向の大きさよりも大きいことを特徴とする水洗大便器。
【手続補正２】
【補正対象書類名】明細書
【補正対象項目名】０００６
【補正方法】変更
【補正の内容】
【０００６】
上述した課題を解決するために、本発明は、洗浄水源から供給される洗浄水によって洗浄されて汚物を排出する水洗大便器であって、ボウル形状の汚物受け面と、この汚物受け面の上縁に形成される棚部と、この棚部の外縁から立ち上がるリム内壁面を形成するリム部と、を備えたボウル部と、上記ボウル部内に洗浄水を吐水するリム吐水部と、を有し、上記ボウル部は、このボウル部を左右方向に二等分するように水平前後方向に延びる中心軸線に対して左側及び右側にそれぞれ形成される左側領域及び右側領域をそれぞれ備えており、上記リム吐水部は、上記ボウル部の上記リム部に設けられて洗浄水を吐水するリム吐水口を上記リム部の全周において１つ形成し、上記リム吐水口は、上記左側領域又は上記右側領域のいずれかの上記リム部に設けられて洗浄水を吐水するものであり、上記リム内壁面における上記リム吐水口よりも上側の領域は、平坦状に形成されており、ボウル部の周方向に連続するように形成されていることを特徴としている。
このように構成された本発明においては、リム吐水部が、ボウル部のリム部に設けられて洗浄水を吐水するリム吐水口をリム部の全周において１つ形成し、このリム吐水口が、ボウル部の左側領域又は右側領域のいずれかのリム部に設けられて洗浄水を吐水するものであるため、リム吐水口から吐水された洗浄水によるボウル部の洗浄性能を維持しつつ、ボウル部よりも前方且つ上方の使用者からリム吐水口を見え難くすることができる。
また、リム内壁面における単一のリム吐水口よりも上側の領域がボウル部の全周に亘って連続的な帯状に形成されていることにより、リム吐水口を隠蔽し易くすることができるため、美観性に優れた水洗大便器を提供することができる。
さらに、ボウル部の前端にリム吐水口が形成される場合に比べ、ボウル部の前端が複雑な形状になりにくく、美観性を向上させることができる。
【手続補正３】
【補正対象書類名】明細書
【補正対象項目名】０００７
【補正方法】変更
【補正の内容】
【０００７】
本発明において、好ましくは、上記リム内壁面における上記リム吐水口の開口端面よりも上側の領域は、上記リム吐水口の開口端面における上下方向の大きさよりも広い範囲で形成され、下流側に向かうにつれて徐々に狭くなる。
このように構成された本発明においては、ボウル部よりも前方且つ上方の使用者側から見たリム吐水口の隠蔽性を保ちつつ、清掃時にしゃがむ等の姿勢で目線をボウル部付近まで低くし、左右いずれかの内のリム吐水口が設けられていない側から見た際には、リム吐水口が視認し易くなるため、清掃具をリム吐水口に当てやすくなる等、清掃性を向上させることができる。
したがって、リム吐水口の隠蔽性と清掃性とを両立させることができる。
また、本発明において、好ましくは、上記リム吐水部は、上記リム吐水口の下流側に通水路を形成し、この通水路の流路断面は、上記棚部の棚面、この棚面の外縁から立ち上がる上記リム内壁面、及び、このリム内壁面の上方部分に形成されるオーバーハング部分のそれぞれにより形成され、上記通水路の流路断面の上下方向の大きさは、上記通水路の下流側に向かうにつれて大きくなる。
このように構成された本発明においては、リム吐水部がリム吐水口の下流側に通水路を形成し、この通水路の流路断面が、棚部の棚面、この棚面の外縁から立ち上がるリム内壁面、及び、このリム内壁面の上方部分に形成されるオーバーハング部分のそれぞれにより形成され、通水路の流路断面の上下方向の大きさが、通水路の下流側に向かうにつれて大きいため、ボウル部よりも前方且つ上方の使用者側から見たリム吐水口の隠蔽性を保つことができる。さらに、清掃時にしゃがむ等の姿勢で目線をボウル部付近まで低くした際には、リム吐水口がより視認し易くなるため、清掃具をリム吐水口に当てやすくなる等、清掃性をより向上させることができる。
したがって、リム吐水口の隠蔽性と清掃性とを両立させることができる。
【手続補正４】
【補正対象書類名】明細書
【補正対象項目名】０００９
【補正方法】変更
【補正の内容】
【０００９】
また、本発明は、洗浄水源から供給される洗浄水によって洗浄されて汚物を排出する水洗大便器であって、ボウル形状の汚物受け面と、この汚物受け面の上縁に形成される棚部と、この棚部の外縁から立ち上がるリム内壁面を形成するリム部と、を備えたボウル部と、上記ボウル部内に洗浄水を吐水するリム吐水部と、を有し、上記ボウル部は、このボウル部を左右方向に二等分するように水平前後方向に延びる中心軸線に対して左側及び右側にそれぞれ形成される左側領域及び右側領域をそれぞれ備えており、上記リム吐水部は、上記ボウル部の上記リム部に設けられて洗浄水を吐水するリム吐水口を上記リム部の全周において１つ形成し、上記リム吐水口は、上記左側領域又は上記右側領域のいずれかの上記リム部に設けられて洗浄水を吐水するものであり、上記リム吐水部は、上記リム吐水口から下流側に延びるように形成される通水路を備え、この通水路は、上記棚部と、この棚部の外縁から立ち上がる第１リム内壁面と、この第１リム内壁面の上方部分に形成されるオーバーハング部分の下面と、により形成されており、上記リム内壁面は、上記第１リム内壁面と、上記オーバーハング部分の下面の内側端よりも上側領域に形成される第２リム内壁面と、を備えており、上記リム吐水口から下流側に向かって所定距離に位置する上記通水路に対して上側に形成される上記第２リム内壁面の上下方向の大きさは、上記リム吐水口の上下方向の大きさよりも大きいことを特徴としている。
このように構成された本発明においては、リム吐水部が、ボウル部のリム部に設けられて洗浄水を吐水するリム吐水口をリム部の全周において１つ形成し、このリム吐水口が、ボウル部の左側領域又は右側領域のいずれかのリム部に設けられて洗浄水を吐水するものであるため、リム吐水口から吐水された洗浄水によるボウル部の洗浄性能を維持しつつ、ボウル部よりも前方且つ上方の使用者からリム吐水口を見え難くすることができる。
また、リム吐水口から下流側に向かって所定距離に位置する通水路に対して上側に形成される第２リム内壁面の上下方向の大きさが、リム吐水口の上下方向の大きさよりも大きいことにより、リム吐水口を隠蔽し易くすることができるため、美観性に優れた水洗大便器を提供することができる。
さらに、ボウル部の前端にリム吐水口が形成される場合に比べ、ボウル部の前端が複雑な形状になりにくく、美観性を向上させることができる。